(57)【要約】【課題】水平に対して一定の許容角度をもって設置されるレンジフードにおいて、ファンケーシング内に油液が付着滞留することを抑制して、清掃を容易に行えるようにする。【解決手段】排気ファン１０を収容したファンケーシング１７の下部に、下方に向けて開口する吸気口３５を設けるとともに、ファンケーシング１７の底面１７ａを、レンジフードの水平に対する設置の許容角度より大きい傾斜角度βで吸気口３５に向けて先下がりに傾斜させる。【選択図】図６
2017036880.tif 000002
【特許請求の範囲】
【請求項１】
フードケースで捕集した排気を排気ファンで吸引して排出するとともに、水平に対して一定の許容角度をもって設置されるレンジフードにおいて、
前記排気ファンを収容したファンケーシングの下部に、下方に向けて開口する吸気口を設けるとともに、前記ファンケーシングの底面が、前記許容角度より大きい傾斜角度で前記吸気口に向けて先下がりに傾斜している、
ことを特徴とするレンジフード。
【請求項２】
前記排気ファンは、縦軸型の遠心ファンである、
請求項１に記載のレンジフード。
【請求項３】
前記ファンケーシングの底面全体が、前記吸気口に向けて先下がりに傾斜している、
請求項１または２に記載のレンジフード。
【請求項４】
前記吸気口の下方に、脱着可能な環状のオイルトレーを備える、
請求項１ないし３のいずれかに記載のレンジフード。
【請求項５】
前記ファンケーシングの底面の前記吸気口に向かう端縁が、下方に屈折されて、前記オイルトレーの油溜まり部に臨む、
請求項４に記載のレンジフード。
【発明の詳細な説明】
【技術分野】
【０００１】
本発明は、レンジフードに係り、詳しくは例えば、ガスコンロ、電気コンロ、および電磁誘導感熱式クッキングヒータ（ＩＨヒータ）などの加熱調理器具の上方に設置されて、調理中に発生する煙や湯気などの排気を吸い込み捕集して屋外に排出するためのレンジフードに関する。
【背景技術】
【０００２】
一般に、レンジフードの設置に際しては、厨房奥壁に連結ブラケットを位置決めして取付けた後、この連結ブラケットに、レンジフードの取付け金具を係止連結する施工形態が採られることが多く、治具を用いてレンジフードを正しく位置決め設置する技術が、例えば、特許文献１に示されている。
【先行技術文献】
【特許文献】
【０００３】
【特許文献１】特開２０１４−１７３７９６号公報
【発明の概要】
【発明が解決しようとする課題】
【０００４】
レンジフードを設置する場合、水準器を用いる等して、水平姿勢に設置するよう施工マニュアルに指示されているのであるが、現場の設置条件や組み付け誤差、等によって若干の設置誤差が生じることは否めず、水平に対して一定の許容角度（例えば、±０．５度）を設定して、この許容角度範囲内で設置するようにしている。
【０００５】
従って、レンジフードの設置姿勢が許容角度範囲内であったとしても、排気ファンを収容したファンケーシングの底面が、底面と周壁とのなす内角部に向けて傾斜する状態になることがあり、このような場合には、ファンケーシングの周壁に付着した油液が内角部に滞留しやすくなり、滞留した油液は、時間経過とともに固化し、清掃除去が困難になる。
【０００６】
本発明は、このような点に着目してなされたものであって、ファンケーシング内に油液が付着滞留することを抑制して、清掃を容易に行うことができるレンジフードを提供することを目的とする。
【課題を解決するための手段】
【０００７】
本発明では、上記目的を達成するために、次のように構成している。
【０００８】
（１）本発明のレンジフードは、フードケースで捕集した排気を排気ファンで吸引して排出するとともに、水平に対して一定の許容角度をもって設置されるレンジフードにおいて、
前記排気ファンを収容したファンケーシングの下部に、下方に向けて開口する吸気口を設けるとともに、前記ファンケーシングの底面が、前記許容角度より大きい傾斜角度で前記吸気口に向けて先下がりに傾斜している。
【０００９】
本発明によると、レンジフードが許容角度範囲内に設置されていれば、ファンケーシングにおける底面は、必ず水平に対して吸気口に向けて先下がりに傾斜することになる。従って、排気ファンによって送出された排気が、ファンケーシングの周壁に案内されて周方向に流動する間に、排気に含まれる油滴が周壁に付着し、周壁を伝って底面に流下した後、吸気口に向けて先下がりに傾斜した傾斜面に沿って流下し、底面と周壁とのなす内角部に滞留することなく吸気口に導かれて排出される。
【００１０】
（２）本発明の好ましい実施態様では、前記排気ファンは、縦軸型の遠心ファンである。
【００１１】
この実施態様によると、ファンケーシングの吸気口は、遠心ファンの中心下部の吸引部に臨んで開口されることになり、吸気口から遠心ファンの中心に吸引流動した排気は、遠心ファンの外周から送出され、ファンケーシングの周壁に案内されて周方向に流動する間に、排気に含まれる油滴が周壁に付着し、周壁を伝って底面に流下し、底面と周壁とのなす内角部に滞留することなく底面の傾斜面に沿って円滑に流下し、吸気口に導かれて排出される。
【００１２】
（３）本発明の他の実施態様では、前記ファンケーシングの底面全体が、前記吸気口に向けて先下がりに傾斜している。
【００１３】
この実施態様によると、ファンケーシングの全周において、吸気口に向けての油液の流下が促進され、ファンケーシング内での油液の付着滞留、特に、周壁と底面とのなす内角部での付着滞留が防止される。
【００１４】
（４）本発明の更に他の実施態様では、前記吸気口の下方に、脱着可能な環状のオイルトレーを備える
この実施態様によると、ファンケーシング底面の傾斜によって流下案内されて吸気口に導かれた油液を、確実にオイルトレーで回収し、適時、オイルトレーを取り外して溜まった油液を容易に廃棄することができる。
【００１５】
（５）上記（４）の実施態様では、前記ファンケーシングの底面の前記吸気口に向かう端縁を、下方に屈折させて、前記オイルトレーの油溜まり部に臨ませてもよい。
【００１６】
この実施態様によると、吸気口まで流下してきた油液は、ファンケーシングの底面裏側に回り込むことなく、底面の端縁から滴下してオイルトレーに回収されることになり、ファンケーシングの底面裏側が回り込んだ油液で汚損されることがなく、清掃が容易となる。
【発明の効果】
【００１７】
以上のように、本発明によれば、許容角度範囲内に設置されていれば、ファンケーシング内面での油液の付着滞留、特に、周壁面と底面とのなす内角部に油液が付着滞留することを抑制でき、清掃が容易となる。
【図面の簡単な説明】
【００１８】
【図１】システムキチンの一例を示す概略正面図である。
【図２】レンジフードを上方から見た斜視図である。
【図３】レンジフードを下方から見た斜視図である。
【図４】レンジフードを下方から見た分解斜視図である。
【図５】排気ファンを下方から見た斜視図である。
【図６】レンジフードの主要部を縦断した正面図である。
【発明を実施するための形態】
【００１９】
以下、本発明の実施の形態について、図面を参照しながら説明する。
【００２０】
図１に、本発明の一実施形態に係るレンジフード１を備えたシステムキッチンの一形態の概略正面図が示されている。このシステムキッチンでは、レンジ台２がシンク台３と調理台４の間に配備され、このレンジ台２の上方に配備されるレンジフード１が、左右の吊り戸棚５，６の間に挟まれて設置されている。
【００２１】
図２は図１のレンジフード１を上方から見た斜視図であり、図３はレンジフード１を下方から見た斜視図であり、図４はレンジフード１を下方から見た分解斜視図であり、また、図６はレンジフード１の主要部を縦断した正面図である。
【００２２】
本実施形態のレンジフード１は、排気ファン１０を内装した箱形の本体ハウジング１１、本体ハウジング１１の下端に連設されたフードケース１２、フードケース１２の内側に装着された内装パネル１３、及び、整流板１４、フードケース１２の上面に支持枠１５を介して取付けられた化粧パネル１６、等を備えている。そして、このレンジフード１は、水平に対して一定の許容角度α（例えば、±０．５度）をもって設置するよう施工マニュアルに指示されている。
【００２３】
化粧パネル取付け用の支持枠１５は、図２，図４に示すように、その横外側面がフードケース１２の横外側面と一致するようにフードケース１２の上面に立設固定された下部支持枠１５ａと、これに対して上下調節可能に連結支持された上部支持枠１５ｂとからなり、上下複数の連結位置を選択して固定することで支持枠１５全体の高さを調節できる構造となっている。
【００２４】
また、化粧パネル１６も、下部支持枠１５ａの下端部にネジ連結される下部化粧パネル１６ａと、上部支持枠１５ｂの上端部に係止連結される上部化粧パネル１６ｂとから構成されている。上部化粧パネル１６ｂは、下部化粧パネル１６ａに上下スライド可能に差し込み内嵌され、支持枠１５の高さに合わせて化粧パネル１６全体の高さを調節できるように構成されている。
【００２５】
前記フードケース１２は、下面全体が開口された平面形状が矩形の浅い箱形に形成されており、図４に示すように、その奥側側壁部の下端辺に備えられた左右の係止爪３８に、内装パネル１３の奥端辺を係止した上で、内装パネル１３の前端隅部をフードケース１２にネジ締め固定するようになっている。
【００２６】
フードケース１２における奥側壁部には、照明ランプ３９や種々の電気機器が装備されており、これらが内装パネル１３によって覆い隠されるようになっている。また、内装パネル１３には、ガラス板あるいは透光樹脂板からなるランプカバー４０が開閉可能に備えられており、内装パネル装着状態において、照明ランプ３９の前面がランプカバー４０で覆われる。フードケース１２における前面には、照明スイッチ、風力切換え用の運転スイッチ、タイマースイッチ、等のスイッチ類と、各スイッチに対応するＬＥＤからなるモニターランプ群を備えた操作部４１が装備され、また、フードケース１２と内装パネル１３との間に形成される空隙が配線スペースとなっている。
【００２７】
内装パネル１３の天井部には、図４，図６に示すように、円形環状の油溜まり部４２ａを備えたオイルトレー４２が装着されている。このオイルトレー４２の四隅には、係止孔４３と係止凹部４４が備えられており、これらを内装パネル１３に備えられた係止金具４５にそれぞれ横方向からスライド係止することで、オイルトレー４２を内装パネル１３に脱着可能に連結することができるようになっている。
【００２８】
整流板１４は、フードケース１２における下向き開口より一回り小さい略矩形の扁平板状に構成されている。この整流板１４における奥端部の左右に備えた孔付きの連結金具４６を、内装パネル１３の奥側に設けられた左右のフック４７に係止し、その係止点を中心にして整流板１４を持上げ揺動することで、整流板１４における手前側の左右に突設した孔付きの連結金具４８に、内装パネル１３の左右に備えたロックピン４９が付勢係合して、整流板１４を内装パネル１３に対して所定の装填位置に固定するように構成されている。
【００２９】
整流板１４が装填位置セットされた状態では、図３に示すように、整流板１４の外周端と内装パネル１３の周壁部との間に、矩形環状の通気路５０が形成される。また、内装パネル１３の下面と整流板１４の上面との間は、図６に示すように、フード内通気路５１となっており、このフード内通路５１を介して通気路５０と吸気口３５とが連通している。ここで、通気路５０を狭幅に形成することで、整流板１４にぶつかった排気が狭幅の通気路５０内ヘと高速で流入するようになり、これにより、ケーシング側方への排気の溢流が抑制されて、吸気口３５を経由する排気の捕獲率が向上する。
【００３０】
また、整流板１４における奥端辺の中央部位には、図３，図４に示すように、ランプカバー４０に対応する凹入部１４ａが形成され、照明ランプ３９からの光が整流板１４で遮られることなく前方下方に広く照射されるようになっている。
【００３１】
本体ハウジング１１の内部には、図６に示すように、ファンケーシング１７が固定配備されるとともに、このファンケーシング１７の天井部に一部入り込む状態でファン駆動用のモータ１８が縦向きに固定配備され、モータ１８から下向きに延出された回転軸１９に、遠心ファンの一例としてシロッコファンからなる排気ファン１０が脱着可能に連結されている。
【００３２】
排気ファン１０は、図５及び図６に示すように、扁平リング状に形成された上部支持板２５と下部支持板２６とに亘って多数のファンブレード２７が周方向一定ピッチで支持されるとともに、ファンブレード２７の上下中間部位が、中間支持板２８に貫通支持された構造となっている。
【００３３】
中間支持板２８の下面中央には、ファンボス２９が連結固定されるとともに、ファンボス２９の中心に、モータ１８の下向き回転軸１９に下方から挿抜可能な連結ボス部２９ａが、中間支持板２８を貫通して上向きに突設されている。ファンボス２９は、周知のワンタッチ脱着手段によって連結ボス部２９ａに挿入された回転軸１９との連結及び解除が可能となっている。
【００３４】
すなわち、回転軸１９の上下中間箇所には、トルク伝達用の駆動ピン３０が横向きに貫通止着されるとともに、回転軸１９の下部近くには、連結溝３１が形成されている。排気ファン１０を持上げて、ファンボス２９の連結ボス部２９ａを回転軸１９に下方から挿嵌すると、連結ボス部２９ａの上端に十字状に形成されたＶ形の係合溝３２に、回転軸１９の駆動ピン３０が係入するように回転軸１９が追従回転する。回転軸１９に連結ボス部２９ａが、所定深さまで挿嵌されて駆動ピン３０が係合溝３２に正しく係合されると、ファンボス２９に内蔵された図示されていないロック爪が、自動的に回転軸１９の連結溝３１に付勢係合され、これによって、回転軸１９と排気ファン１０とが一体回転可能に連結される。
【００３５】
また、ファンボス２９の外周部に備えられた解除ノブ３３を、ボス中心側に押し込み操作すると、内蔵されているロック爪が係合付勢力に抗して係合解除方向に強制後退され、この状態で排気ファン１０を下方に引き下げることで回転軸１９から抜き外すことができ、清掃時における排気ファン１０の脱着をワンタッチ操作で行えるようになっている。
【００３６】
ファンケーシング１７の底部には、排気ファン１０の下端吸気部に臨む円形の吸気口３５が、ファン軸心と同心に開口されるとともに、ファンケーシング１７の奥側において、図２，図６に示すように、横向きに開口された排気口３６が、本体ハウジング１１の側面に取付けられた排気エルボ３７に連通接続され、この排気エルボ３７が、家屋の壁面に挿通設置される図示されていない排気ダクトに連通接続されるようになっている。
【００３７】
この実施形態では、ファンケーシング１７の底面１７ａは、図６に示すように、レンジフード１の水平に対する上記設置許容角度αより大きい傾斜角度βで吸気口３５に向けて先下がりに傾斜されている。そして、底面１７ａの吸気口３５に向かう端縁１７ｂが、下方に屈折され、ファンケーシング１７の底面１７ａに付着した油液を、下方のオイルトレー４２の油溜まり部４２ａに流下させるように構成されている。
【００３８】
レンジフード１は以上のように構成されており、次に、その設置手順を説明する。
【００３９】
先ず、化粧パネル１６が装着されていない前面が開放されたレンジフード１を、図２に示すように、本体ハウジング１１の上面に備えた取っ手５３を用いて持上げ、厨房奥壁面の所定高さ位置に取付け固定する。この場合、予め、奥壁面に取付けブラケット５４を、吊り戸棚５，６の下端から設定された寸法だけ上方の位置に治具などを用いて位置決め固定しておき、本体ハウジング１１の奥端に備えた連結金具５５を取付けブラケット５４に上方からフック方式で係合連結する。これによって、レンジフード１は、その下端が吊り戸棚５，６の下端と揃った高さにセットされる。この場合、フードケース１２の上に水準器を置くなどして、設置したレンジフード１の左右傾斜角度が水平に対して前記許容角度αの範囲内に収まっていることを確認する。
【００４０】
次に、本体ハウジング１１の上面奥端左右の連結金具５５を厨房奥壁面にネジ締め固定するとともに、フードケース１２の奥端左右に備えられている連結金具５６を厨房奥壁面にネジ締め固定する。その後、排気エルボ３７と、厨房奥壁面に挿通した排気ダクトとを接続する。
【００４１】
次に、上部支持枠１５ｂの上端が、厨房天井に十分接近するように高さ調節して固定し、必要に応じて、支持枠１５を厨房天井や吊り戸棚５，６の側面にネジ連結する。
【００４２】
次に、上部支持枠１５ｂの上端部に、化粧パネル１６の上部化粧パネル１６ｂを前方から係止連結した後、係止固定された上部化粧パネル１６ｂに対して、下部化粧パネル１６ａをフードケース１２の上面に当接するまでスライド下降させ、下部化粧パネル１６ａの下端部を、下部支持枠１５ａの基部に前方からネジ締め固定する。これによって、厨房天井とフードケース１２の上面との間が化粧パネル１６によって塞がれ、レンジフード１の設置が完了する。
【００４３】
なお、排気ファン１０、オイルトレー４２、及び、整流板１４、等の脱着可能な部材は、上記設置工程の前、あるいは、後のいずれにおいて組み付けてもよいが、後付けのほうが、設置工程において持上げる部材の重量が軽くてよい。
【００４４】
上記のようにして設置されるレンジフード１は、現場の設置条件や組み付け誤差などによって若干傾いて設置される可能性があるが、許容角度αの範囲内には設置されることになるので、ファンケーシング１７における底面１７ａの水平に対する傾斜角度は、必ず、吸気口３５に向かう先下がり傾斜角度となる。したがって、ファンケーシング１７の周壁に付着した油液は、底面１７ａに沿って吸気口３５に流下し、周壁と底面１７ａとのなす内角部に付着滞留すること少なくオイルトレー４２の油溜まり部４２ａに流下回収される。
【００４５】
この際、底面１７ａの吸気口３５に向かう端縁１７ｂが、下方に屈折されているので、端縁１７ｂまで流下してきた油液は、ファンケーシング１７の底面裏側に回り込むことなく、端縁１７ｂの下端から滴下して確実にオイルトレー４２に回収される。
【００４６】
以上のように本実施形態によれば、ファンケーシング１７の底面１７ａが、レンジフード１の水平に対する設置の許容角度αより大きい傾斜角度βで吸気口３５に向けて先下がりに傾斜しているので、レンジフード１が許容角度αの範囲内に設置されていれば、ファンケーシング１７における底面１７ａは、必ず水平に対して吸気口３５に向けて先下がりに傾斜することになる。
【００４７】
従って、排気ファン１０によって送出された排気が、ファンケーシング１７の周壁に案内されて周方向に流動する間に、排気に含まれる油滴が周壁に付着すると、付着した油滴は、周壁を伝って底面１７ａに流下した後、吸気口３５に向けて先下がりに傾斜した傾斜面に沿って流下し、底面１７ａと周壁とのなす内角部に滞留することなく吸気口３５に導かれ、底面１７ａの下方に屈折された端縁１７ｂの下端からオイルトレー４２の油溜まり部４２ａに滴下される。
【００４８】
このようにファンケーシング１７の周壁面と底面１７ａとのなす内角部に油液が付着滞留して固化することを抑制することができ、ファンケーシング１７の清掃が容易となる。
【００４９】
［その他の実施形態］
本発明は、以下のような形態で実施することもできる。
【００５０】
（１）周壁と底面１７ａとのなす内角部を、適度の曲率で凹入湾曲したＲ面にしておくと、油液の吸気口３５への流下が一層円滑に行われるとともに、内角部に付着残留した油分の拭取り除去が容易なものとなる。
【００５１】
（２）上記実施形態では、ファンケーシング１７における底面１７ａの全体を吸気口３５に向けて先下がりに傾斜させているが、水平に形成した底面１７ａにおける周方向の複数箇所に、許容角度αより大きい傾斜角度で吸気口３５に向けて先下がりに傾斜する浅い溝部を設けるような形態でも油液の滞留を大きく軽減することができる。
【符号の説明】
【００５２】
１            レンジフード
１０          排気ファン
１７          ファンケーシング
１７ａ        底面
１７ｂ        端縁
３５          吸気口
４２          オイルトレー
４２ａ        油溜まり部
α            許容角度
β            傾斜角度
【図１】
2017036880.tif 000003
【図２】
2017036880.tif 000004
【図３】
2017036880.tif 000005
【図４】
2017036880.tif 000006
【図５】
2017036880.tif 000007
【図６】
2017036880.tif 000008